(57)【要約】【課題】本発明では、複数の腕部を設けたことによってページめくりを前後いずれに行なっても自動的に栞本体部を挟み替えることができ、しかも本の外部への張り出しを小さくできる栞を提供する。【解決手段】本の表紙・裏表紙に固定する基部４と、該基部４の上記表紙側の上端と同裏表紙側の上端とに設けられる複数の肩部３と、該各肩部３から本の開閉軸１０側と逆方向に伸びる可撓性の腕部２と、該各腕部２の自由端に支持された単一の栞本体部１とから成り、本を開いたときに上記腕部２が上記栞本体部１を本の表裏面方向に移動させて、開いたページ間に上記栞本体部１を移動させて保持し、本を閉じたときに上記栞本体部１の先端が最後に開いていたページに挿入されることを特徴とする自動栞。【選択図】図１
2014061719.tif 000002
【特許請求の範囲】
【請求項１】
本の表紙・裏表紙に固定する基部と、
該基部の上記表紙側の上端と同裏表紙側の上端とに設けられる複数の肩部と、
該各肩部から本の開閉軸側と逆方向に伸びる可撓性の腕部と、
上記栞本体部を本の表裏面方向に移動させて、開いたページ間に上記栞本体部を移動させて保持し、本を閉じたときに上記栞本体部の先端が最後に開いていたページに挿入されることを特徴とする自動栞。
【請求項２】
上記各肩部は上記基部の上端から本の上端に寄り添う方向に折り曲げられることを特徴とする請求項１記載の自動栞。
【請求項３】
上記栞本体部は先端の幅が不均一に形成され、本を開くときに開かれるページ面に該先端の外辺が密着しないことを特徴とする請求項１または２記載の自動栞。
【発明の詳細な説明】
【技術分野】
【０００１】  本発明は、自動栞に関するものである。
【背景技術】
【０００２】  従来の自動栞は、次のようなものがあった。【０００３】
【先行技術文献】
【０００４】  基部を本の裏表紙近辺に固定し、基部の外端に設けられた単一の腕部で栞本体部を保持し、本の開閉によって１ページ目から最終ページに向かって栞本体部を引き寄せるもの。例えば特許文献１が挙げられる。
【０００５】  基部を本の表紙・裏表紙近辺の２箇所に固定し、基部の外端に設けられた２本の腕部で栞本体を保持し、本を開くと栞本体を上方に引き抜き、本を閉じると栞本体部をページに差し込むもの。例えば特許文献２が挙げられる。
【０００６】
【特許文献１】  特開２００４−３３０７５４
【特許文献２】  特開２００９−２０８４５４
【発明の概要】
【発明が解決しようとする課題】
【０００７】  しかし、前者単一の腕部を持つ栞では、栞本体部を引き寄せる力が表紙から裏表紙へ向かっての一方向しか働かないため、ページを戻ると栞本体部が自動的に追随しない問題があった。【０００８】  また、後者複数の腕部を持つ栞では、栞本体部をページから引き抜くために腕部が本の外部へ大きく張り出すため閉じた本が嵩張り、本を収納する際に外部に接触して故障する恐れがあった。【０００９】  また、いずれの栞も本を大きく開かないと栞本体部がページ間から抜き出せないという問題があった。
【課題を解決するための手段】
【００１０】  本発明は、上記の課題を解決するために開発されたもので、請求項１記載の発明は、
本の表紙・裏表紙に固定する基部と、
該基部の上記表紙側の上端と同裏表紙側の上端とに設けられる複数の肩部と、
該各肩部から本の開閉軸側と逆方向に伸びる可撓性の腕部と、
該各腕部の自由端に支持された単一の栞本体部とから成り、本を開いたときに上記腕部が上記栞本体部を本の表裏面方向に移動させて、開いたページ間に上記栞本体部を移動させて保持し、本を閉じたときに上記栞本体部の先端が最後に開いていたページに挿入されることを特徴とする。【００１１】  請求項２記載の発明は請求項１記載の発明の一つの実施形態であるが、上記肩部は上記基部の上端から本の内側に向かって折り曲げられ、本を閉じたときに該肩部が本の上端に寄り添うことを特徴とする。【００１２】  請求項３記載の発明は請求項１及び請求項２記載の発明の一つの実施形態であるが、上記栞本体部は先端の幅が不均一に形成され、本を開くときに開かれるページ面に上記栞本体部の外辺が密着しないことを特徴とする。
【発明の効果】
【００１３】  請求項１記載の発明は、栞本体部を表紙及び裏表紙の双方に固定する複数の腕部を有することにより、ページを前後いずれの方向にめくっても複数のページを同時にめくっても栞本体部が抜け出せるようになるため、閲覧するページの移動が自由になる。【００１４】  請求項２記載の発明は、本の開閉に伴う栞本体部の移動は本の開閉軸に対してほぼ直交軸方向で行なわれ、引き抜き動作は栞本体部の開閉や捻りによってページを押し退けることによってなされることにより、腕部が本から大きく張り出す必要がないため、本棚や鞄に収納しても邪魔にならず、栞と周辺の物品との相互損傷が発生しにくい。このことにより耐久性のための素材や寸法を節約して製造できるようになる。【００１５】  請求項３記載の発明は、栞本体部１の幅が不均一であることによってページと面接触ではなくなるため摩擦が減少し、本の開き方が小さくても栞本体部１が移動することにより、満員電車などで片手でしか本が持てず本を狭くしか開けなかったとしても栞本体部１がページめくりに追随できるようになる。
【図面の簡単な説明】
【００１６】
【図１】本発明の第１の実施形態に係る自動栞の斜視図である。
【図２】図１に示した実施形態で本に装着した場合を示す概念図である。（ａ）本を閉じる場合。（ｂ）本が閉じた場合。（ｃ）本を開く場合。
【図３】図１に示した実施形態の展開図である。
【図４】本発明の第２の実施形態に係る自動栞の栞本体部１の形状を示す正面部分図である。
【図５】本発明の第２の実施形態に係る自動栞の斜視図である。
【図６】図５に示した実施形態で本に装着した場合を示す概念図である。（ａ）本を閉じる場合。（ｂ）本が閉じた場合。（ｃ）本を開く場合。
【図７】図５に示した実施形態の展開図である。
【発明を実施するための最良の形態】
【００１７】〔第１の実施形態〕
図１は、本発明における好ましい実施形態の１つを示す斜視図であり、本のページに折り畳まれて差し込まれる栞本体部１と該栞本体部１を支える１対の腕部２とが、本に固定するための帯紙状の基部４の上端と１対の肩部３を介して付着している。【００１８】  栞本体部１は折り畳み線５により、本を閉じたときには平面状となってページ間に挟み込まれる。該各腕部２が本の開閉軸１０側に伸びると共に逆方向に折り返されることで、栞本体部１を本の開閉軸１０と逆方向に向けるために折り曲げ部６が設けられている。該基部４の両端には折り込み部９があり、本の表紙及び裏表紙の裏に回し込んで該基部４を本に固定する。【００１９】  図２は図１に示した自動栞を本に装着したところである。図２（ａ）において上記基部４の両端の折り込み部９は、本の表紙及び裏表紙の裏に回し込んで該基部４を本に固定している。なお、同図では右開きまたは左開きの本の上辺に栞本体部１が挟まるように装着しているが、該栞本体部１が本の下辺に挟まるように装着してもよく、また上下開きの本では本の左辺または右辺のいずれに該栞本体部１が挟まるように装着してもよい。【００２０】  図２（ｂ）は図１に示した実施形態において、本が完全に閉じられているところを示す概念図である。図２（ｂ）の状態で栞本体部１が挿入されているページを開くと同（ａ）の状態となり、同（ａ）の状態で本を閉じると同（ｂ）の状態となる。【００２１】  図２（ｃ）は同（ｂ）において、栞本体部１が挿入されていないページで本を開いたときまたは本を開いた状態でページ１１をめくった場合に、該栞本体部１が該腕部２の一方に引き寄せられると同時に、該各腕部２の双方によって広げられまたは捻られ、めくられるページ１１を押し退けているところを示している。図２（ｃ）の状態で本を更に開くと各腕部２の可撓性により栞本体部１がページから抜け出して移動し、該各腕部の形状の復元性によって同（ａ）の状態となる。【００２２】  図３は図１に示した実施形態を１枚の紙あるいは薄い樹脂などの単一の平面素材から製造した場合の展開図であるが、各部は複数の素材を組み合わせて成形してもよい。また、基部４は表紙及び裏表紙の一部を覆ってもよく、全部を覆ってもよい。平面状の素材を用いることにより、生産性、収納性、流通性を向上させることができる。また、平面であれば片面または両面に広告や模様などを印刷することが容易となる。【００２３】  本発明における栞本体部１の形状は、図４（ａ）に示されるように該栞本体部１のページに差し込まれる部分を先端に向かって細く形成することにより、本の表紙及び裏表紙を開くと上記腕部２も広げられ該栞本体部１も開いて三角錐台状となり、本のページの辺と点接触となって摩擦を小さくすることができる。【００２４】  該栞本体部１は、挟まれるページ１１との摩擦を小さくすることができれば三角錐台状以外の形状であってもよい。例えば図４（ｂ）及び同（ｃ）に示すような不均一な幅の形状であればよい。【００２５】  また、該栞本体部１は、図４（ｄ）に示すように、折り畳まれる必要は無い。本実施例では本の表紙及び裏表紙を開くと上記腕部２も広げられ該栞本体部１は捻られることにより、本のページの辺と点接触と��って摩擦を小さくすることができる。【００２６】〔第２の実施形態〕
図５は、本発明による栞の請求項２の実施形態を示す概念図である。１対の肩部３及び１対の腕部２が本の上端に寄り添うように傾いている。該各腕部２の先端が折り曲げ部８により本の上端に寄り添う方向に折り曲げられまたは撓められて栞本体部１を形成する。【００２７】  栞本体部１は折り曲げ部７により本の上端に寄り添う方向に折り曲げられ、本を閉じたときには平面状となってページ間に挟み込まれる。【００２８】  図６は図５に示した自動栞を本に装着したところである。図６（ａ）において１対の基部４の各々の上端に肩部３が形成され、表紙及び裏表紙の裏へ挟み込むことにより本に固定する。【００２９】  図６（ｂ）は図５に示した実施形態において、本が完全に閉じられているところを示す概念図である。肩部３は折り曲げ部７において基部４とほぼ直角に曲がることができるため、該各肩部３及び該各腕部２は本を閉じたときには本の上端に寄り添うことができる。栞本体部１は折り曲げ部８において１対の腕部２とほぼ直角に曲がるまたは撓むことができるため、該各腕部２は本を閉じたときには本の上端に寄り添うことができる。以上により、本を閉じたときには該栞本体部１が該各折り曲げ部８付近まで本の上端にほとんどはみ出すことなく本に挿入される。図６（ｂ）の状態で該栞本体部１が挿入されているページを開くと同（ａ）の状態となり、同（ａ）の状態で本を閉じると同（ｂ）の状態となる。【００３０】  図６（ｃ）は同（ｂ）において、該栞本体部１が挿入されていないページで本を開いたときまたは本を開いた状態でページ１１をめくった場合に、該栞本体部１が該腕部２の一方に引き寄せられると同時に、該腕部２の双方によって広げられ、めくられるページ１１を押し退けているところを示している。図６（ｃ）の状態で本を更に開くと該各腕部２の可撓性により栞本体部１がページから抜け出して移動し、該各腕部の形状の復元性によって同（ａ）の状態となる。【００３１】  図７は図５に示した実施形態を１枚の紙あるいは薄い素材から製造した場合の展開図であるが、基部４は図３に示すように一体の帯紙状とする他に、図７に示すように該各肩部３に独立して形成してもよい。該各基部４は表紙及び裏表紙の裏に挟んで本に固定してもよく、棘状の切れ込み１２を該各基部４の外端に１つまたは複数設けて本に装着すると滑らかな素材であっても該基部４の抜け出し防止になる。また該各基部４に手帳の開閉式金具を通す穴１３を設ければ手帳に装着できる。また該各基部４に粘着剤を塗布したものを表紙及び裏表紙に貼り付けて固定しても良い。また、前述の固定方法を他の実施形態に使用しても良い。
【符号の説明】
【００３２】    １…栞本体部
２…腕部
３…肩部
４…基部
５…栞本体部１の折り畳み線
６…栞本体部１を本の開閉軸と逆方向に向けるための折り曲げ部
７…肩部３を基部４と直交方向に向けるための折り曲げ部
８…栞本体部１と腕部２との折り曲げ部または湾曲部
９…折り込み部
１０…本の開閉軸
１１…めくられる１枚または複数のページ
１２…棘状の切り込み
１３…手帳の開閉式金具を通す穴
【図１】
2014061719.tif 000003
【図２】
2014061719.tif 000004
【図３】
2014061719.tif 000005
【図４】
2014061719.tif 000006
【図５】
2014061719.tif 000007
【図６】
2014061719.tif 000008
【図７】
2014061719.tif 000009